(57)【要約】【課題】長期的な体型変化及び一時的な体型変化が衣類に及ぼす影響を緩和することのできるウエストサイズの調整具を提供する。【解決手段】衣類のウエスト部分を切り込んで形成した重なり部分（２，３）の片面（３）内側に配置したレール紐（６）と、前記レール紐（６）と衣類との接合部分（１０）の間に設定された弾性体（２４）と、前記レール紐（６）上をスライド可能で、特定の位置で係止可能であると共に、前記重なり部分の他方の面に繋がれているバックル（１１）とからなる。前記レール紐（６）と衣類との接合部分（１０）の間に設定された弾性体（２４）はゴムバンドであるのが好ましい。【選択図】　　図３
2004097621.tif 000002
【特許請求の範囲】
【請求項１】
衣類のウエスト部分を切り込んで形成した重なり部分（２，３）の片面（３）内側に配置したレール紐（６）と、
前記レール紐（６）と衣類との接合部分（１０）の間に設定された弾性体（２４）と、
前記レール紐（６）上をスライド可能で、特定の位置で係止可能であると共に、前記重なり部分の他方の面に繋がれているバックル（１１）とからなる
ことを特徴とするウエストサイズの二段調整具。
【請求項２】
レール紐（６）面に複数の突起（８）を設けてこの突起にバックルの係合部が係合可能とした請求項１記載の二段調整具。
【請求項３】
前記レール紐（６）と衣類との接合部分（１０）の間に設定された弾性体（２４）がゴムバンドである請求項１記載の二段調整具。
【発明の詳細な説明】
【０００１】
【産業上の利用分野】
本発明は、長期的及び短期的な体型変化がズボンやスカート等の衣類に及ぼす影響を緩和するウエストサイズの調整具に関する。
【０００２】
【従来の技術】
長期間にわたる体型変化だけでなく、屈伸運動の最中や食事の前後でウエストサイズは微妙に変化する。鉤ホックと受止め具が調整不能のとき、胴回りには締まり過ぎまたは弛み過ぎとして現れ、不快感を与える。これを避けるため、ズボンやスカートでは、腰回りに弾力性を付与する目的で、ゴム等の弾性体を組み込んだり、スプリングを内蔵して伸縮させ、調整機能を付与した鉤ホックを使用することがある。
【０００３】
スプリングを内蔵した鉤ホックの先行技術として、例えば特開２０００−５０９１３号と特開２００１−８７０１０号がある。両先願に示されている鉤ホックは、構成材の鉤ホック主体と鉤ホック基体とが圧縮スプリングを介して接続され、鉤ホック主体が鉤ホック基体上を圧縮スプリングの力でスライドするため、微調整が可能である。
【０００４】
別の従来技術として、例えば実公平６−１３２１１号がある。これによると、衣服のポケットを上端まで切開して、重複する外側腰回り部と内側腰回り部を形成し、外側腰回り部の外面に突条を有するレールと、このレールが挿通され突条と係止するように外側腰回り部に付設されたスライダーとを設けている。
【０００５】
【発明が解決しようとする課題】
前者の特開２００１−８７０１０号と特開２００１−８７０１０号では、鉤ホックは通常衣類の開閉部分１箇所のみに装着するため、どうしてもウエストサイズの調整範囲が小さくなりがちである。
【０００６】
後者の実公平６−１３２１１号では、左右２箇所のポケット部に調整部を設けることができるため、前者に比べて調整範囲を広くとることができ、長期間にわたる体型変化に十分対応できる。しかし、調整方法は着用者による意識的な調整に限られるため、微調整を行うのは困難である。
【０００７】
この問題を解決するため、本出願人の一名（モリト株式会社）は、長期間にわたる体型変化に対応できるだけでなく、微調整も自動的に行うことにより短時間の変化にも対応可能なウエストサイズの調整具を出願した（現在、未公開の特願２００２−１３０４５５）。
【０００８】
本発明は、この先願発明と同じ目的を有する一変形発明である。
【０００９】
【課題を解決するための手段】
本発明は、衣類のウエスト部分を切り込んで形成した重なり部分の片面内側に配置したレール紐と、前記レール紐と衣類との接合部分の間に設定された弾性体と、前記レール紐上をスライド可能で、特定の位置で係止可能であると共に、前記重なり部分の他方の面に繋がれているバックルとからなることを特徴とするウエストサイズの二段調整具である。
【００１０】
【発明の実施の形態】
本発明は、ズボンやスカート等に使用する大調整部分と微調整部分からなるウエストサイズの二段調整具であって、開閉部とは別に一部を切り込み形成した重なり部分に装着する。重なり部分は通常、左右両側部に設けるとバランスがよく、調整範囲を拡げるが、一方でも効果がある。
【００１１】
バックルはレール紐上の特定の位置で係止可能であれば、どのような構造のものでもよい。例えば、特開平１１−２２９２２０号、特開平１１−２４７０１２号、特開２００１−１４６６１９、特開２００１−１１７１９などに示されている発明を使用することができる。
【００１２】
バックルをレール紐上の特定の位置で係止するためには、レール紐に複数の突起を設けておき、この突起とバックルの係合部を係合させるのが好ましい。突起は棒状のものや内面に上下二段に整列させた複数の四角突起が好ましい。ベルト長さと突起数はサイズにより、１０±５ｃｍと１０〜３０個の各範囲から選択して組合せることができる。バックルの係合部と係合可能であれば、突起の代わりに、レール紐を貫通する複数の孔でもよい。
【００１３】
前記バックルと前記重なり部分を繋ぐ弾性体は、ゴムバンドが適当であるが、そのほか、バネやゴム紐など、弾力性を有する紐状のものであればどのようなものでもよい。
【００１４】
両調整部分を構成する部材の内、突起付きレール紐は目立つので、表面を衣類と同生地で覆うとよい。突起付きレール紐とバックルの接触面は、摩擦もしくは押さえ部材の爪で傷むので、可撓性があり耐磨耗性と耐久性を備える材料の使用が望ましい。
【００１５】
【作用】
本発明のウエストサイズの二段調整具は、大調整を人手で、微調整を弾性体が行い、両調整部分が相互に補完するように働く。
【００１６】
【実施例】
以下、添付の図面に基づき、本発明の実施例を説明する。
【００１７】
図１は腰回りの一部を切り込んで重なり部分を形成したズボン上端の側面図である。図２は、図１のズボンの重なり部分を引き離したウエストサイズの二段調整具の斜視図で、外側から見たものである。図３は同状態を内側（着用者側）から見たものである。
【００１８】
図１のように、ズボン１の重なり部分２と３の対向する面に、ウエストサイズの二段調整具５を取付ける。二段調整具５はレール紐６の一部が外側から見える程度で、その他の部分は重なり部分２に隠れる。図２、３では、図１の重なり部分２と３の間を意図的に拡げて、二段調整具の構成材の状態を示している。
【００１９】
ズボン１の腰回りに作られた重なり部分３に、レール紐６を渡し両端１０をズボン上端に糸で縫いつけて固定する。レール紐６は、内面に上下二段に整列させた四角形の突起８を多数形成したレール紐本体７と、ズボンと同材料の被覆材９からなる。レール紐６と両端の固定部１０の間にゴムバンド２４が設定されている。図示（図２）の例ではゴムバンド２４はレール紐６と左端固定部１０の１箇所に設けているが、レール紐６と左右端部固定部１０の２箇所でもよい。
【００２０】
図３に示すように、レール紐６は、突起８を内側に向けた状態でバックル１１の中を貫通している。バックル１１は、ズボン１の腰回りに作られた他方の重なり部分２の上端かつ左端に金具１２のかしめ又は打ち込みにより強固に一体化されている。
【００２１】
前記ゴムバンド２４は、適度な初期張力をもたらすように設定されるので、ウエストサイズが弛むときにはレール紐６上のバックル１１を引っ張り動かす。これによりウエストサイズの自動的な微調整が可能となる。
【００２２】
図示のバックル１１は、上下に設けたボタン１１ａを押すことにより、位置固定が解除され、レール紐に沿って移動可能となり、ボタン１１ａを離すことにより、その位置でレール紐に固定される種類のものである。これによりウエストサイズの大調整が可能となる。
【００２３】
このバックルの詳細な構造及び作用は特開平１１−２２９２２０号に開示されているので、詳細は省略する。本発明にとって、バックルはレール紐上をスライド可能で、特定の位置で係止可能であれば足り、この目的に適うものであれば、これ以外のどのようなものでもよい。他にも例えば、特開平１１−２４７０１２号、特開２００１−１４６６１９、特開２００１−１１７１９等の発明を使用することもできる。
【００２４】
この調整は手で操作するので、調整の容易さを失わない範囲で、突起数を増やしたり、間隔を狭くしたりして細かい調整ができる。レール紐６は、布地、プラスチック、金属、等により成形することができる。
【００２５】
以上をまとめると、本発明の二段調整具５を使用して大調整するには、図４（ｂ）に示すように、ズボン着用者のウエストサイズに合わせて、バックル１１の位置を、指を使って突起８の単位で変更する。この調整で難しいズボン着用後のウエストサイズの微妙な調整は、図４（ｃ）に示すように、ゴムバンド２４の弾力により自動的に行う。
【００２６】
【発明の効果】
二段調整具は腰回りに通常二組（左右側部）配置するので、従来技術欄で紹介した鉤ホックに比べサイズ調整能力を格段に向上した。肥満等で起る長期的体型変化を大調整部分が負担し、屈伸運動中や食事の前後で起こる短期的体型変化を微調整部分が負担する。従って、本発明の二段調整具付き衣類は、購入前後でのサイズの選択と対応の幅を拡げるだけでなく、着用時の快適さを一段と向上させる。
【００２７】
本発明のウエストサイズの二段調整具から得られる効果をまとめると次のようである。
▲１▼二段調整具を腰回りに二個使用したズボンやスカートは、市販の一サイズがカバーする範囲を著しく拡大した。
▲２▼二段調整具の大部分は合わせ部内に隠れ、大きな調整能力にも関わらず外観を損なうことがほとんどない。
▲３▼大きな調整能力にも関わらず軽く嵩張らないので、使用時に不快感を伴うことがない。
▲４▼二段調整具付きのズボンやスカートを着用した後、微調整の効き具合がよくない時、着用したままで大調整を簡単に再実施できる。
【図面の簡単な説明】
【図１】実施例の腰回りの一部を切り込み重なり部分を形成したズボンの側面図である。
【図２】図１のズボンの重なり部分を引き離したウエストサイズの二段調整具の斜視図で、外側から見たものである。
【図３】図２と同状態を内側（着用者側）から見たものである。
【図４】ウエストサイズの調整状態を示す平面図である。（ａ）は調整前、（ｂ）は大調整後、（ｃ）は大調整及び微調整後である。
【符号の説明】
１　　ズボン
２，３　重なり部分
５　二段調整具
６　レール紐
８　突起
１１　バックル
１１ａ　押さえボタン
２４　弾性体（ゴムバンド等）
【図１】
2004097621.tif 000003
【図２】
2004097621.tif 000004
【図３】
2004097621.tif 000005
【図４】
2004097621.tif 000006